(57)【要約】      （修正有）【課題】耳や毛が顔の間近に垂れ下がらないようにして固定しながらも美的価値のある装飾具を提供する。【解決手段】円筒状の本体２の胴部に備えた伸縮部材であるゴム５によって本体２の胴部を軽く絞ることで穴状の形状となっており、この穴に耳や毛を通すことで耳や毛が顔から離れるよう固定することができるため、汚れを防ぐことができる。左右の本体２を連結して使用することで、より一層に耳や毛が顔から離れるよう固定することができる。更に、連結具としてのスナップボタン凸３、スナップボタン凹４の連結位置を変更して左右の本体２間の間隔を変えることで、ペットの個体差に対応することができる。また、本体２の内周面には滑り止め７を施しているので、本体２の位置ずれや脱落を軽減、防止することができる。【選択図】図５
0003198910.tif 000002
【実用新案登録請求の範囲】
【請求項１】
犬の耳に装着できる装飾具であって、犬の耳が挿入される円筒状の柔軟な本体と、左右の前記本体同士を連結する連結部とを備え、前記本体の内径を絞る位置に伸縮部材を設けたことを特徴とする装飾具。
【請求項２】
前記伸縮部材は、前記本体が犬の耳の付け根に装着されたときに、該本体から垂れ下る犬の耳を犬の口元から遠ざけるだけの十分な幅を有していることを特徴とする請求項１に記載の装飾具。
【請求項３】
前記本体の内周面には、犬の耳からの脱落を防止する滑り止めが設けられていることを特徴とする請求項１に記載の装飾具。
【考案の詳細な説明】
【技術分野】
【０００１】
本考案は、犬の耳に装着したり毛を束ねたりする装飾具としてのイヤーシュシュに関する。
【背景技術】
【０００２】
垂れ耳、長毛の犬においては、食事や散歩など、犬が下向きになって行動するときに、耳や毛が垂れ下って汚れるという悩みがある。
【０００３】
これを解消する簡易な方法としては、人が使う布製のヘアーバンドを利用する方法がある。
【０００４】
ヘアーバンドを利用するときは、それを犬の首や耳に巻き付けて耳や毛が垂れ下がらないようにする。しかし、ヘアーバンドは、元々人が使うものなので、犬には適合せず、余った布をゴムバンドで縛ったりして、その場しのぎ的に使用しているのが現状である。
【０００５】
これに対し、犬の耳や毛の汚れを防ぐために、ペット専用のものとして販売されているものに、スヌード１というものがある。このスヌード１は、図１に示すように、筒状の布製袋をペットの頭部にかぶせて、耳が垂れるのを防止している。このスヌード１については、「犬と生活（Life with Dogs）：東京都渋谷区恵比寿３−９−１８」というウェブサイトに掲載されている。
しかし、このスヌード１を使う場合は、図１に示すように、耳を含む頭部の半分から首にかけての広範囲がスヌード１で覆われるため、圧迫感を感じた犬が嫌がって脱ごうとすることがある。更に、両耳穴をスヌード１と外耳の両方で完全に覆ってしまうため、長時間使用すると、耳が蒸れて不衛生となり、悪くすれば耳の病気のきっかけとなる恐れがある。
また、何よりもスヌード１という布製袋で覆うこので、可愛いペットが美的価値に欠けるだけでなく、スヌード１を知らない人には珍奇に見られ、外出時には使いにくいという欠点がある。
【考案の概要】
【考案が解決しようとする課題】
【０００６】
解決しようとする課題は、耳の長い犬が下向きになっても、犬の耳や毛が汚れず、さらに飾りとしても利用できる美的価値のある装飾具を提供することにある。
【課題を解決するための手段】
【０００７】
上記の課題を解決するために、本考案の装飾具は、犬の耳に装着できる装飾具であって、犬の耳が挿入される円筒状の柔軟な本体と、左右の前記本体同士を連結する連結部とを備え、前記本体の内径を絞る位置に伸縮部材を設けたことを特徴とする。
また、この伸縮部材は、前記本体が犬の耳の付け根に装着されたときに、該本体から垂れ下る耳を犬の口元から遠ざけるだけの十分な幅を有していることを特徴とする。
さらに、前記本体の内周面には、犬の耳からの脱落を防止する滑り止めが設けられていることを特徴とする。
【考案の効果】
【０００８】
本考案の装飾具を犬の耳の付け根に装着すると、食事や散歩などの下向きの行動において、犬の耳や毛が口元まで垂れ下がらないので、これらを汚すことがない。また、従来のスヌード１の様に、耳全体を覆う構造ではないので、耳穴を蒸らさず、耳の衛生状態を維持することができる。さらに、長耳犬の特徴である耳を綺麗に見せることができるから、装飾具としての効果も発揮することができる。
更に、左右の装飾具を連結する場合は、左右の本体が一体となるから、犬が頭部を激しく振っても、簡単には脱落しない効果がある。併せて、本体の内周面には、滑り止めが設けられているから、これによっても脱落しない効果がある。さらに、左右の本体を連結するときに、両本体間の距離を調整すると、両耳を側頭部に寄せることができるから、それによっても耳の垂れ下りを防止することができる。加えて、左右を連結するときの間隔調整ができるので、ペットの個体差にも十分対応することができる。
【図面の簡単な説明】
【０００９】
【図１】スヌードを装着した犬の頭部の一例を示す正面図。
【図２】本考案の装飾具全体の正面図と平面図。
【図３】上記装飾具を犬に装着した状態の正面図と背面図と側面図を示す。
【図４】上記装飾具で犬の頭部の毛を束ねた状態の正面図。
【図５】左右の装飾具を連結するための複数のスナップボタンの取り付け事例と、スナップボタンの繋ぐ位置の変更で左右の装飾具の間隔が調整できることを示す説明図。
【図６】装飾具の胴部に伸縮部材を設けた側面図。
【図７】装飾具の内周面に滑り止めを施した説明図。
【考案を実施するための形態】
【００１０】
図２〜図５において、装飾具は、犬の耳が挿入される円筒状の柔軟な本体２と、左右の本体２を連結する連結部３、４と、それらの本体２の胴部の内径を絞る位置に設けられたゴム等からなる伸縮部材５とを備える。
本体２は、蒸れを軽減させる通気性の良い布等で形成している。また、図２（a）に示すように、筒状の本体２の胴部をゴム状の伸縮部材５で軽く絞っている。また、伸縮部材５は、図５に示すように、本体２を犬の耳の付け根に装着したときに、該本体２から垂れる耳を犬の口元から遠ざけるだけの十分な幅を備えている。
【実施例】
【００１１】
図３は、本装飾具を犬の耳に装着する様子を示し、その中の図３(a)は、犬の耳が顔の間近に自然に垂れ下がった一例を示す。一方、図３(b)は、本装飾具を犬の耳に装着することによって、耳や毛が口元に垂れ下がるのを防いだ一例を示す。本装飾具を装着していない図３（a）の場合では、犬が頭を下げて餌を食べるときは、耳や毛が口先まで垂れ下がり、それらが餌によって汚れるおそれがある。しかし、装飾具を装着した図３（b）〜図３（f）の場合は、そうした恐れはない。特に、図３（ｄ）、（f）のように、左右の本体２を連結すると、左右の本体２が両耳を後頭部側に引っ張るので、頭部が下向きになっても、垂れた耳が口元に触れて汚れることはない。図３（d）、（f）は、左右の本体２を連結することによって、より一層に犬の耳や毛が犬の口元に垂れ下がらない様子を示す。
【００１２】
図４は、本体２で犬の頭部の毛をちょんまげ風に束ねた様子を示す。この場合は、単なる装飾具としての使用方法となる。また、図には示していないが、本体２を脚に通してリストバンドやブレスレットのような装飾具としても使うことができる。
【００１３】
図５（a）、（b）は、左右の本体２を連結する連結具としてのスナップボタン凸３と、スナップボタン凹４との取り付け位置を示す。このように、左右の本体２に、それぞれ上下２段にわたって２列のスナックボタン凸３、凹４を取り付け、左右のスナックボタン凸３、凹４を選択的に連結することにより、左右の本体２間の距離を、図５（c）に示すように、短くしたり、長くしたりすることができる。これにより、左右の本体２間の間隔が多段階に調整できるだけでなく、ペットの個体差にも対応することができる。また、このスナップボタン凸３、凹４に代えて、面ファスナー等を使用し、これによって左右の本体２間を無段階で調整するようにしても良い。
【００１４】
円筒状の本体２の胴部には、伸縮部材であるゴム５が装着されており、ゴム５の伸縮によって耳や毛を通すことで耳や毛が垂れ下がらないよう固定する。また、このゴム５は、本体２を犬の耳の付け根に装着したときに、該本体２から垂れ下る耳や毛を犬の口元から離間させる幅を備えている。
本体２の中央には、ゴム穴６が設けてあり、このゴム穴６を通じてゴム５を挿入したり引き出したりすることができるので、ペットの耳の大きさや毛の束の太さに応じてゴム５を伸縮調整することでペットの個体差に対応することが可能となる。また、ゴム５の経年変化による伸縮機能が低下した時においても、ゴム穴６があることでゴム５を交換することで本考案による装飾具であるイヤーシュシュ機能が復活できる。
【００１５】
図７は、本体２の内周面にアクリル塗料などによる滑り止め用の突起７を施している状態を示す。これにより、犬の動き、および耳や毛の揺れで、本体２が位置ずれや脱落する可能性があっても、これを防止または軽減することができる。
【産業上の利用可能性】
【００１６】
本考案による装飾具は、比較的簡単な構造であるために、作り易く安価な商品とすることができる。本装飾具は、ただ単に犬の耳や毛の汚れを防ぐために耳や毛が顔の間近に垂れ下がらないよう固定する機能だけのものでなく、装飾具としても十分に利用価値がある。
【符号の説明】
【００１７】
１    スヌード
２    本体
３    スナップボタン凸
４    スナップボタン凹
５    ゴム
６    ゴム穴
７    滑り止め
【図１】
0003198910.tif 000003
【図２】
0003198910.tif 000004
【図３】
0003198910.tif 000005
【図４】
0003198910.tif 000006
【図５】
0003198910.tif 000007
【図６】
0003198910.tif 000008
【図７】
0003198910.tif 000009